(57)【要約】      （修正有）【課題】製造工程を短縮でき、且つ組立に便利で使用者が簡単に組立操作できるＵＳＢコネクタ組合せ構造を提供する。【解決手段】ＵＳＢコネクタ組合せ構造は、基板１０、ベース２０、複数の端子３０及び一つの固定座４０を包含し、ベースと固定座は基板上に設けられ、且つ固定座によりベース上に緊密に組み合わされ、端子の一端にある折り曲げ上撥ね部３１はベース外に露出し、固定座内で制圧された折り曲げ上撥ね部が基盤の端子コンタクトパッド１１に接触する。ベースと固定座の緊密組合せにより、端子がソルダリング方式によらずに基板の端子コンタクトパッド上に置かれるので、組立に便利で、生産工程を短縮でき、製品使用の便利性を増す。【選択図】図２
0003185159.tif 000002
【実用新案登録請求の範囲】
【請求項１】
USBコネクタ組合せ構造において、
基板であって、該基板上に端子コンタクトパッドが設けられた上記基板、
ベースであって、該ベースは該基板上に置かれ、該ベース内に端子収容溝が設けられた上記ベース、
複数の端子であって、該端子の一端は該ベースの端子収容溝内に挿入され、他端には折り曲げ上撥ね部が設けられ、且つ該折り曲げ上撥ね部は該ベース外に露出する上記複数の端子、
固定座であって、該固定座は該基板上に置かれ、且つ該固定座は該ベースと対応し結合され、該固定座内は該複数の端子の折り曲げ上撥ね部を制圧して該基板の端子コンタクトパッドと接触させる上記固定座、
以上を包含することを特徴とする、USBコネクタ組合せ構造。
【請求項２】
請求項１記載のUSBコネクタ組合せ構造において、該固定座と該ベースの対応結合方式は、該ベースの両側にさらに固定部が設けられ、且つ該固定部はＬ形体とされ、該固定座の中間に、該ベースの固定部に対応して左右両辺に対応部が設けられ、該対応部にフック部が設けられ、該フック部が該固定部に嵌合され、該ベースの前端両側に辺溝が設けられ、該固定座の両側に前向きに階段状を呈するよう延伸されたアーム体が設けられ、且つ該アーム体の内側よりリブが延伸され、該固定座のアーム体の内側のリブが該ベースの辺溝内に嵌入されることを特徴とする、USBコネクタ組合せ構造。
【請求項３】
請求項１記載のUSBコネクタ組合せ構造において、該ベースよりさらにストッパ板が延伸され、該ストッパ板は該基板に当接し、且つ該ストッパ板の上端に斜面が設けられ、該ベースのストッパ板はその底部両側より挟持片が延伸され、該挟持片は該ベースを挟持することを特徴とする、USBコネクタ組合せ構造。
【請求項４】
請求項１記載のUSBコネクタ組合せ構造において、該固定座と該ベースの対応結合方式は、該ベース上にさらに凹部が設けられ、該固定座に前向きに延伸されたフック部が設けられ、該固定座のフック部が該ベースの凹部に嵌合され、該固定座が緊密に該ベース上に結合され、該固定座の後端よりストッパ片が延伸され、該ストッパ片の下方より挟持片が延伸され、該挟持片が該基板を挟持することを特徴とする、USBコネクタ組合せ構造。
【請求項５】
請求項１記載のUSBコネクタ組合せ構造において、該固定座と該ベースの対応結合方式は、該ベース上にさらに凹溝が設けられ、該凹溝後端にストッパが設けられ、該固定座内にさらに対応フック部が設けられ、該固定座の対応フック部が該ベースの凹溝内に嵌合され並びに該ストッパに係合することで、該固定座が緊密に該ベース上に結合され、該固定座後端両側の底部にさらに切欠きが設けられ、該切欠きにさらに片体が嵌合され、該片体の両側にリブが設けられ、該片体はその両側のリブにより該切欠きに係合し固定され、これにより該固定座及び該片体が組み合わされて該基板を挟持することを特徴とする、USBコネクタ組合せ構造。
【請求項６】
請求項１、２、４或いは５のいずれかに記載のUSBコネクタ組合せ構造において、該固定座内にさらに階段凹部が設けられ、該階段凹部が該端子の折り曲げ上撥ね部を押さえ、並びに該端子の折り曲げ上撥ね部を該階段凹部内に収容することを特徴とする、USBコネクタ組合せ構造。
【請求項７】
請求項１記載のUSBコネクタ組合せ構造において、該基板、該ベース及び該固定座が一つの中空被覆体内に挿入され、該中空被覆体は緊密に該ベース及び該固定座上に当接することを特徴とする、USBコネクタ組合せ構造。
【考案の詳細な説明】
【技術分野】
【０００１】
本考案は一種のUSBコネクタ組合せ構造に係り、特に、基板、ベース、複数の端子、及び固定座の組合せ設計により、端子がソルダリングによらずに基板の端子コンタクトパッド上に置かれ、且つベース及び固定座の基板上への緊密な組合せにより、組立に便利な特性を有し、各種のUSBコネクタ或いは類似の構造に適用されるものに関する。
【背景技術】
【０００２】
現在、USBコネクタを使用する要求はますます多くなり、特に電子製品或いはコンピュータ製品はいずれもUSBコネクタを使用してメモリの拡充を行っており、USB端子はホットプラグアンドプレイの機能を有するため、USB端子は標準の伝送インタフェースとなっている。
【０００３】
しかし、既存の端子は、いずれもソルダリングによって基板上に接続され、それは工程上、ＤＩＰ挿入部品を介して後にソルダリングする必要があり、ソルダリング後にはさらにソルダリング不良或いはボンディングパッド上の半田付けが十分であるか、並びに線路試験により導通するか否かを試験して後、完成する。ゆえに、製作過程上、短縮できない多くの工程及び試験を行う必要がある。また、抜き差しを多く繰り返すと、端子とボンディングパッドに接触不良の現象が発生し、これによりUSBコネクタはデータ読み取り不能となる。
【０００４】
これにより、本考案者は、上述の欠点を鑑み、製造工程を短縮でき、且つ組立に便利で使用者が簡単に組立操作できるUSBコネクタ組合せ構造を提供して使用者に便利性を提供することを思い立ち、それが本考案の創作の動機である。
【考案の概要】
【考案が解決しようとする課題】
【０００５】
本考案の主要な目的は、一種のUSBコネクタ組合せ構造を提供することにあり、それは、基板、ベース、複数の端子及び一つの固定座の組合せ設計により、該ベース及び該固定座は基板上に設けられ、且つ固定座は緊密にベース上に組み合わされ、端子の一端に折り曲げ上撥ね部が設けられ、且つ該折り曲げ上撥ね部はベース外に露出し、該固定座内で端子の折り曲げ上撥ね部を制圧して基板の端子コンタクトパッドと接触させ、これにより、ベース及び固定座の緊密組合せにより、端子がソルダリングによらずに基板の端子コンタクトパッド上に置かれ、USBコネクタの組立に便利で、且つ生産工程を短縮でき、並びに製品使用の便利性と全体の実用性を増すものとする。
【０００６】
本考案の次の目的は、一種のUSBコネクタ組合せ構造を提供することにあり、それは、該固定座と該ベースの対応結合方式は多種類の組合せ方式を採用し、固定座を緊密にベース上に組合せられ、且つベース或いは固定座それぞれに挟持片が設けられ、これにより基板が挟持され、本考案がソルダリングによらずに緊密に組合せられ、これにより全体の組合せの構造性が増すものとする。
【０００７】
本考案のさらに一つの目的は、一種のUSBコネクタ組合せ構造を提供することにあり、それは、該固定座内にさらに階段凹部が設けられ、該階段凹部が端子の折り曲げ上撥ね部に当接し、並びに該端子の折り曲げ上撥ね部を階段凹部内に収容し、端子の折り曲げ上撥ね部が基板の端子コンタクトパッドと緊密に接触させられ、ぐらつき或いは振動による接触不良の現象を起こさないものとされ、これにより全体の運用性及び実用性が増すものとする。
【課題を解決するための手段】
【０００８】
本考案のUSBコネクタ組合せ構造は、基板、ベース、複数の端子及び固定座を包含する。該基板に端子コンタクトパッドが設けられる。該ベースは該基板上に置かれ、該ベース内に端子収容溝が設けられる。該端子の一端は該ベースの端子収容溝内に置かれ、他端には折り曲げ上撥ね部が設けられ、且つ該折り曲げ上撥ね部は該ベース外に露出する。及び該固定座は該基板上に置かれ、且つ該固定座は該ベースに対応し結合され、固定座内は複数の端子の折り曲げ上撥ね部を制圧して基板の端子コンタクトパッドと接触させる。
【考案の効果】
【０００９】
本考案のUSBコネクタ組合せ構造は、基板、ベース、複数の端子及び一つの固定座を包含し、該ベースと該固定座は該基板上に設けられ、且つ該固定座によりベース上に緊密に組み合わされ、端子の一端は折り曲げ上撥ね部はベース外に露出し、これにより固定座内で制圧された端子の折り曲げ上撥ね部が基盤の端子コンタクトパッドに接触し、これにより、ベースと固定座の緊密組合せにより、端子がソルダリング方式によらずに基板の端子コンタクトパッド上に置かれ、USBコネクタの組立に便利で、且つ生産工程を短縮でき、並びに製品使用の便利性を増す。
【図面の簡単な説明】
【００１０】
【図１】本考案の実施例の外観図である。
【図２】本考案の実施例の分解図である。
【図３】本考案の実施例のＡ−Ａ断面図である。
【図４】本考案の実施例のベースと端子の組合せの第１実施表示図である。
【図５】本考案の実施例の固定座背面外観図である。
【図６】本考案の実施例のベースと端子の組合せの第２実施表示図である。
【図７】本考案の実施例の中空被覆体の局部透視図である。
【図８】本考案の実施例の中空被覆体の断面図である。
【図９】本考案の第２実施例の外観図である。
【図１０】本考案の第２実施例の分解図である。
【図１１】本考案の第２実施例のＡ−Ａ断面図である。
【図１２】本考案の第３実施例の外観図である。
【図１３】本考案の第３実施例の分解図である。
【図１４】本考案の第３実施例のＡ−Ａ断面図である。
【考案を実施するための形態】
【００１１】
図１〜図１４を参照されたい。それは本考案の実施例の表示図である。本考案は一種のUSBコネクタ組合せ構造であり、それは、基板１０、ベース２０、複数の端子３０、及び固定座４０を包含する。該基板１０上に端子コンタクトパッド１１が設けられる。該ベース２０は該基板１０上に置かれ、ベース２０内に端子収容溝２１が設けられる。該端子３０の一端は、ベース２０の端子収容溝２１内に置かれ、他端には折り曲げ上撥ね部３１が設けられ、且つ該折り曲げ上撥ね部３１はベース２０外に露出している。該固定座４０は基板１０上に置かれ、且つ該固定座４０は該ベース２０と対応し結合され、固定座４０内は複数の端子３０の折り曲げ上撥ね部３１を制圧して基板１０の端子コンタクトパッド１１と接触させる。
【００１２】
そのうち、固定座４０とベース２０の対応結合方式は、ベース２０の両側にさらに固定部２２が設けられ、該固定部２２はＬ形体とされ、固定座４０の中間にはベース２０の固定部２２に対応するように、左右両辺にそれぞれ一つの対応部４１が設けられ、且つ対応部４１にフック部４１１が設けられて、固定部２２に嵌合可能とされる。
【００１３】
また該ベース２０はさらに前端両側それぞれに辺溝２３が設けられ、固定座４０はさらに両側において前向きに階段式にそれぞれ延伸されたアーム体４２が設けられ、且つアーム体４２の内側よりリブ４２１が延伸され、固定座４０上のアーム体４２の内側のリブ４２１がベース２０の辺溝２３に嵌入させられる。
【００１４】
また、該ベース２０にさらに、ストッパ板２４が設けられ、該ストッパ板２４は基板１０に当接し、且つストッパ板２４の上端に斜面２４１が設けられる。また該ベース２０のストッパ板２４の底部両側よりそれぞれ挟持片２５が延伸され、該挟持片２５は該基板１０を挟持できる。
【００１５】
また、該固定座４０と該ベース２０の対応結合方式は、ベース２０上にさらに凹部２６が設けられ、該固定座４０に前向きに延伸されたフック部４３が設けられ、該固定座４０のフック部４３が該ベース２０の凹部２６に嵌合され、該固定座４０が緊密に該ベース２０上に結合され、該固定座４０の後端よりストッパ片４４が延伸され、該ストッパ片４４の下方より挟持片４５が延伸され、該挟持片４５が該基板１０を挟持する。
【００１６】
該固定座４０と該ベース２０の対応結合方式は、該ベース２０上にさらに凹溝２７が設けられ、且つ凹溝２７後端にストッパ２７１が設けられ、固定座４０内にさらに対応する対応フック部４６が設けられ、固定座４０の対応する対応フック部４６がベース２０の凹溝２７内に嵌合され並びにストッパ２７１に係合し、固定座４０が緊密にベース２０上に結合される。固定座４０の後端両側の底部にはさらにそれぞれ切欠き４７が設けられ、且つ該切欠き４７にさらに片体５０が嵌合可能で、該片体５０の両側にリブ５１が設けられ、切欠き４７中に嵌入して固定され、これにより、固定座４０及び片体５０が組み合わされて基板１０を挟持する。
【００１７】
また、固定座４０内にさらに階段凹部４８が設けられ、該階段凹部４８は端子３０の折り曲げ上撥ね部３１に当接し、並びに該端子３０の折り曲げ上撥ね部３１が階段凹部４８内に収容される。
【００１８】
また該基板１０、ベース２０及び固定座４０はさらに中空被覆体６０中に挿入され、該中空被覆体６０はベース２０及び固定座４０上に緊密に当接する。
【００１９】
図１〜１４に示されるのは、本考案の実施例の表示図である。本考案のUSBコネクタ組合せ構造の主要な目的は、該複数の端子３０をソルダリングによらずに基板１０の端子コンタクトパッド１１上に置き、且つベース２０及び固定座４０の組合せ構造により、基板１０上に組合せ、全体に非常に良好な組合せ設計を具備させ、且つ内容に記載のUSBは標準USBインタフェース、Mini USBインタフェース、Micro USBインタフェース、USB2.0インタフェース、USB3.0スタンダード-A インタフェース、USB3.0スタンダード-B インタフェース、或いはUSB3.0パワード-Bインタフェースのいずれかとされる。
【００２０】
本考案は、基板１０、ベース２０、複数の端子３０及び一つの固定座４０を包含し（図１に示されるとおり）、そのうち、該基板１０上に端子コンタクトパッド１１が設けられ、該端子コンタクトパッド１１は複数の端子３０に合わせて設置される。
【００２１】
別に該ベース２０は該基板１０上に配置され、ベース２０内に端子収容溝２１が設けられ、且つ複数の端子３０の一端はベース２０の端子収容溝２１に挿入され、他端には折り曲げ上撥ね部３１が設けられ、且つ折り曲げ上撥ね部３１はベース２０外に露出する。折り曲げ上撥ね部３１の折り曲げ部は基板１０の端子コンタクトパッド１１上に当接し（図２に示されるとおり）、固定座４０により基板１０上に置かれ、且つ該固定座４０はベース２０と対応し結合され、固定座４０内は複数の端子３０の折り曲げ上撥ね部３１を制圧して基板１０の端子コンタクトパッド１１と接触させる。
【００２２】
本考案の固定座４０とベース２０の第１種の対応結合方式によると、ベース２０の両側よりそれぞれ固定部２２が延伸され、該固定部２２はＬ形体とされる（図４に示されるとおり）。また該固定座４０は基板１０上に設けられ、且つ該固定座４０は中間より対応部４１が延伸され（図２に示されるとおり）、ベース２０の固定部２２に対応し組み合わせるために、左右両辺にそれぞれ一つの対応部４１が設けられ、且つ上述の対応部４１にはフック部４１１が設けられる（図５に示されるとおり）。これにより、固定座４０がベース２０に挿入されるとき、該対応部４１のフック部４１１が固定部２２上に嵌合し、固定座４０がベース２０と緊密に一つに組み合わされる。
【００２３】
さらに、該ベース２０の前端両側に辺溝２３が設けられ、別に固定座４０の両側に前向きに階段式を呈するアーム体４２が延伸され、且つアーム体４２の内側よりリブ４２１が延伸されている（図５に示されるとおり）。固定座４０がベース２０に挿入されるとき、ベース２０上の固定部２２は固定座４０の階段式を呈するアーム体４２上に置かれ、アーム体４２の内側のリブ４２１がベース２０の辺溝２３内に対応し嵌入し（図１及び図２に示されるとおり）、これにより、固定座４０がベース２０と緊密に一体に接合される。
【００２４】
さらに、該ベース２０の前端に下向きに折り曲げられ延伸されたストッパ板２４が設けられ、該ストッパ板２４は基板１０の前端をストップし（図６に示されるとおり）、基板１０が前向きにスライドしないようにし、且つ該ストッパ板２４の上端に斜面２４１が設けられ、挿入時に接触し滑り込ませるのに便利とされる。これにより、挿入が順調に行えない現象が発生しにくくなる。
【００２５】
また、該ベース２０のストッパ板２４はまた、底部両側よりそれぞれ挟持片２５が延伸されてもよく（図４に示されるとおり）、該挟持片２５は基板１０の前端を挟持し、ベース２０をしっかりと基板１０上に配置し、ベース２０外に露出する端子３０の折り曲げ上撥ね部３１が容易にはぐらついたり振動したりしないようにする。
【００２６】
該ストッパ板２４の上端には一様に斜面２４１を設置してもよく、これにより、挿入時に接触し滑り込ませるのに便利とし、挿入が順調に行えない現象を発生させない。
【００２７】
また、固定座４０内に階段凹部４８が設けられ（図５に示されるとおり）、該階段凹部４８はベース２０外に露出する端子３０の折り曲げ上撥ね部３１を収容でき、且つ該階段凹部４８の上端は端子３０の折り曲げ上撥ね部３１を押さえることができ、固定座４０とベース２０が緊密に一体に組み合わされる時、該固定座４０内の階段凹部４８が端子３０の折り曲げ上撥ね部３１を制圧することにより、基板１０の端子コンタクトパッド１１と接触させ（図３に示されるとおり）、ベース２０外に露出する端子３０の折り曲げ上撥ね部３１にぐらつき或いは振動により接触不良の現象を発生させない。
【００２８】
最後に、上述のように組み合わせた基板１０、ベース２０、及び固定座４０を中空被覆体６０中に挿入し（図７及び図８に示されるとおり）、該中空被覆体６０の一側は緊密にベース２０及び固定座４０に当接し、且つ該ベース２０の固定部２２にはリブ２２１が設けられ、固定座４０にもまたリブ４９が設けられ、また、中空被覆体６０内に対応する滑り溝（図示せず）が設けられる。
【００２９】
ベース２０と固定座４０を中空被覆体６０に挿入する時、該ベース２０及び固定座４０上のリブ４９は対応する滑り溝（図示せず）内に滑り込み、基板１０、ベース２０及び固定座４０が中空被覆体６０内に固定され、こうして全体の組立が完成し、ベース２０外に露出する端子３０の折り曲げ上撥ね部３１はソルダリングによらずにしっかりと基板１０上の端子コンタクトパッド１１に接触し、且つ強固にベース２０及び固定座４０が基板１０上に緊密に組合せられ、USBコネクタの製造工程が短縮され並びに生産能力が増加され、並びに製品使用の便利性がアップする。
【００３０】
本考案の固定座４０とベース２０の第２種の対応結合方式によると、該ベース２０に凹部２６が設けられ、該凹部２６はベース２０上にあって、左右辺にそれぞれ設けられる。また該固定座４０の後端よりストッパ片４４が延伸され、該ストッパ片４４の下方より挟持片４５が延伸され（図１０に示されるとおり）、且つ該固定座４０、ストッパ片４４及び挟持片４５は一体成形方式で形成され、並びに該固定座４０、ストッパ片４４及び挟持片４５により挟持体が形成され、これにより基板１０を挟持固定できる（図９に示されるとおり）。
【００３１】
別に該固定座４０には前向きに延伸されたフック部４３が設けられ、並びにベース２０の左右辺にフック部４３に対応する凹部２６が設けられ、固定座４０が緊密にベース２０上に結合される時、該固定座４０のフック部４３がベース２０の凹部２６に嵌合され、固定座４０及びベース２０がしっかりと基板１０上に固定される。また、該固定座４０内に階段凹部４８が設けられ、該階段凹部４８はベース２０外に露出した端子３０の折り曲げ上撥ね部３１を収容し、且つ該階段凹部４８の上端は端子３０の折り曲げ上撥ね部３１を押さえ、固定座４０とベース２０が緊密に一体に組み合わされる時、該固定座４０内の階段凹部４８により端子３０の折り曲げ上撥ね部３１が制圧されて基板１０の端子コンタクトパッド１１と接触し（図１１に示されるとおり）、ベース２０外に露出した端子３０の折り曲げ上撥ね部３１がぐらつき或いは振動により接触不良の現象を発生しない。
【００３２】
最後に、上述のように組み合わされた基板１０、ベース２０及び固定座４０が中空被覆体６０中に挿入され（図示せず）、該中空被覆体６０の一側は緊密にベース２０及び固定座４０に当接し、こうして全体の組立が完成し、ベース２０外に露出した端子３０の折り曲げ上撥ね部３１はソルダリングによらずに強固に基板１０上の端子コンタクトパッド１１に接触でき、且つ強固にベース２０及び固定座４０が基板１０上に組合せられ、USBコネクタの製造工程が短縮され並びに生産能力が増され、並びに製品使用の便利性が増加する。
【００３３】
本考案の固定座４０とベース２０の第３種の対応結合方式によると、該ベース２０上に凹溝２７が設けられ、該凹溝２７の後端にストッパ２７１が設けられ、別に該固定座４０の後端両側の底部にそれぞれ切欠き４７が設けられ、該切欠き４７に片体５０が嵌合され（図１３に示されるとおり）、該片体５０の両側にリブ５１が設けられ、切欠き４７中に該リブ５１が嵌め込まれ固定され、該固定座４０及び片体５０が組み合わされて基板１０を挟持する。
【００３４】
別に固定座４０内に対応フック部４６が設けられ、固定座４０が緊密にベース２０上に結合される時（図１２に示されるとおり）、該固定座４０の対応フック部４６はベース２０の凹溝２７内に嵌合し並びにストッパ２７１と係合し、固定座４０及びベース２０がしっかりと基板１０上に置かれる。
【００３５】
また、該固定座４０内に階段凹部４８が設けられ、該階段凹部４８はベース２０外に露出した端子３０の折り曲げ上撥ね部３１を収容し、且つ該階段凹部４８の上端は端子３０の折り曲げ上撥ね部３１を押さえ、固定座４０とベース２０が緊密に一体に組み合わされる時、該固定座４０内の階段凹部４８により端子３０の折り曲げ上撥ね部３１が制圧されて基板１０の端子コンタクトパッド１１と接触し（図１４に示されるとおり）、これによりベース２０外に露出した端子３０の折り曲げ上撥ね部３１がぐらつき或いは振動により接触不良の現象を発生することがない。
【００３６】
最後に、上述のように組み合わされた基板１０、ベース２０及び固定座４０が中空被覆体６０中に挿入され（図示せず）、該中空被覆体６０の一側は緊密にベース２０及び固定座４０に当接し、こうして全体の組立が完成し、ベース２０外に露出した端子３０の折り曲げ上撥ね部３１はソルダリングによらずに強固に基板１０上の端子コンタクトパッド１１に接触でき、且つ強固にベース２０及び固定座４０が基板１０上に組合せられ、USBコネクタの製造工程が短縮され並びに生産能力が増され、並びに製品使用の便利性が増加する。
【００３７】
以上の説明により本考案の属する技術の分野における通常の知識を有する者は本考案が明らかに前述の目的を達成することを理解でき、本考案は特許法の規定に符合し、ここに出願する次第です。
【００３８】
以上述べたことは、本考案の実施例にすぎず、本考案の実施の範囲を限定するものではなく、本考案の実用新案登録請求の範囲に基づきなし得る同等の変化と修飾は、いずれも本考案の実用新案登録請求の範囲のカバーする範囲内に属するものとする。
【符号の説明】
【００３９】
１０  基板
１１  端子コンタクトパッド
２０  ベース
２１  端子収容溝
２２  固定部
２２１  リブ
２３  辺溝
２４  ストッパ板
２４１  斜面
２５  挟持片
２６  凹部
２７  凹溝
２７１  ストッパ
３０  端子
３１  折り曲げ上撥ね部
４０  固定座
４１  対応部
４１１  フック部
４２  アーム体
４２１  リブ
４３  フック部
４４  ストッパ片
４５  挟持片
４６  対応フック部
４７  切欠き
４８  階段凹部
４９  リブ
５０  片体
５１  リブ
６０  中空被覆体
【図１】
0003185159.tif 000003
【図２】
0003185159.tif 000004
【図３】
0003185159.tif 000005
【図４】
0003185159.tif 000006
【図５】
0003185159.tif 000007
【図６】
0003185159.tif 000008
【図７】
0003185159.tif 000009
【図８】
0003185159.tif 000010
【図９】
0003185159.tif 000011
【図１０】
0003185159.tif 000012
【図１１】
0003185159.tif 000013
【図１２】
0003185159.tif 000014
【図１３】
0003185159.tif 000015
【図１４】
0003185159.tif 000016